【事件の表示】
　平成１１年特許願第１９５７７６号「パチンコ機」拒絶査定に対する審判事件［平成１２年　１月２５日出願公開、特開２０００−　２４２７５］について、次のとおり審決する。
【結　論】
　本件審判の請求は、成り立たない。
【理　由】
〔出願の経緯及び発明の要旨〕
　この出願は、昭和６２年１２月２８日に出願された特許出願（特願昭６２−３３４０１１号）の一部が平成１１年７月９日に特許法第４４条第１項の規定により新たな特許出願（特願平１１−１９５７７６号）として分割されたものであって、その発明の要旨は、平成１３年７月１６日付け手続補正によって補正された明細書と出願当初の図面の記載からみて、その特許請求の範囲に記載されたとおりの、
「打球されたパチンコ球が、パチンコ機本体に対して分離可能な遊技盤に設けられた入賞口に飛入することに基づいて遊技を行うパチンコ機において、
　ＣＰＵによって制御されるプログラムを格納した複数のＲＯＭを設け、
　該複数のＲＯＭは、遊技内容又は仕様が異なる複数の前記パチンコ機の各々に共通使用可能な基本プログラムが格納されている共通ＲＯＭと、前記遊技内容又は仕様が異なる複数のパチンコ機の各々に固有のプログラムが格納されている非共通ＲＯＭとから構成され、
　前記ＣＰＵ及び前記共通ＲＯＭは、一体に集積回路化されており、
　前記非共通ＲＯＭが搭載されている非共通回路は、固有な機構部を制御する機構制御回路を含むことを特徴とするパチンコ機」
にあるものと認められる。
〔引用例に記載された発明〕
　これに対して、当審の拒絶理由において引用された、この出願の出願前に国内において頒布された刊行物である特開昭５８−９２３８０号公報（以下、引用例１という）には、
特に
（１）「打込まれたパチンコ球がセーフ球として入賞すると」（第２頁左上欄第１９，２０行）の記載、
（２）「遊技機の種類によっては遊技盤のみを交換してゲーム内容を変えるようにした分離式と呼ばれるものがあり」（第３頁右上欄第７ないし９行）の記載、
（３）「セーフ球によって電動ヤクモノを動かすこと」（第２頁右上欄第９，１０行）の記載、
（４）「ＣＰＵ１０は、ＲＯＭ１１に記憶されたパチンコ機の基本プログラムによってセーフ球の検出情報をＲＡＭ１３に一時的に記憶させると共に、基本プログラムによってＰＲＯＭ１２に記憶された各定数を読み出し、この定数情報と、ＲＡＭ１３に一時的に記憶されたセーフ球の検出情報とを考慮しつつ、セーフ球の検出情報に対応した各定数・・・を実行制御する」（第３頁右下欄第１９行ないし第４頁左上欄第９行）の記載、
（５）「異なるゲーム内容に適用できる」（第１頁右下欄第１９，２０行）の記載、
（６）「遊技機の基本機能を基本プログラムに表わし、遊技機の具体的な制御内容を定数に表わして記憶し」（第２頁左上欄第３ないし５行）、「基本機能を基本プログラムとして・・・ＲＯＭ１１に記憶させておく」（第２頁右上欄第４ないし６行）及び「具体的な制御内容は、それぞれ定数として表わしてプログラム書込操作部１４からＰＲＯＭ１２に記憶される」（第２頁左下欄第２ないし４行）の記載、
（７）「半導体集積回路の高密度集積化に伴ってコンピュータが小型化し、ワンボードあるいはワンチップ・マイクロコンピュータを用いた装置が著しく普及している今日、遊技業界においても遊技機の従来の機械的機構をマイクロコンピュータ等を用いて電子化することが試みられ、遊技機の一部の制御機構、特に超電動ヤクモノと呼ばれる各種電動装置の制御には、ＩＣ、ＬＳＩ等を用いた電子制御装置が必要不可欠な存在になりつつある」（第１頁左下欄第１７行ないし右下欄第６行）の記載、
（８）「ＣＰＵ１０は・・・ＰＲＯＭ１２に記憶された各定数を読み出し・・・セーフ球の検出情報に対応した各定数、例えばセーフ球によって電動ヤクモノを動かすこと・・・等を実行制御する」（第３頁右下欄第１９行ないし第４頁左上欄第９行）の記載、
からみて、
「打込まれたパチンコ球が、分離式遊技盤にセーフ球として入賞すると電動ヤクモノ３を動かすパチンコ機において、
　ＣＰＵ１０によって制御されるプログラムを記憶したＲＯＭ１１及びＣＰＵ１０によって制御される定数を記憶したＰＲＯＭ１２を設け、
　該ＲＯＭ１１及びＰＲＯＭ１２は、異なるゲーム内容に適用できる複数の前記パチンコ機の基本機能を基本プログラムに表して記憶したＲＯＭ１１と、前記異なるゲーム内容に適用できる複数のパチンコ機の具体的な制御内容を表す定数が記憶されているＰＲＯＭ１２とから構成され、
　前記ＣＰＵ１０及び前記ＲＯＭ１１は、ＩＣ、ＬＳＩ化されており、
　前記ＰＲＯＭ１２は、電動ヤクモノ３の制御に関与するパチンコ機」を構成とする発明が、
同じく、この出願の出願前に国内において頒布された刊行物である特開昭６２−１８３７７９号公報（昭和６２年８月１２日公開、以下、引用例２という）には、
特に、
（１）「ゲームが始められ、パチンコ玉が始動入賞孔・・・に入賞すると・・・回転ドラム・・・の回転を開始させる」（第６頁左下欄第９行ないし右下欄第３行）の記載、
（２）「パチンコ遊技機８０は、前面枠８２に取替え可能なように着脱自在に装着された遊技盤８４」（第４頁右下欄第１９行ないし第５頁左上欄第１行）の記載、
（３）「リードオンリメモリ（ＲＯＭ）を含む集積回路チップ２６・・・には、各種類別パチンコ遊技機特有の制御プログラムが格納されている」（第２頁右下欄第１８行ないし第３頁左上欄第３行）の記載、
（４）「遊技機に設けられた出力部材を制御する回路基板を、多種類の遊技機で共通的に使用できる共通回路部を備える共通回路基板と、各種類別の遊技機に特有の制御をする種類別回路部を備える種類別回路基板とで構成し」（第１頁左下欄第６ないし１０行）及び「制御基板１０は、共通回路基板１２と種類別回路基板１４とに」（第２頁右下欄第９，１０行）の記載、
（５）「より好ましくは・・・ＲＯＭ集積回路チップ２６は、共通回路基板１２に設けるのではなく、種類別回路基板１４上に直接取付けるのがよい」（第４頁左下欄第１６ないし１９行）の記載、
（６）「可変入賞球装置９０の開閉板８８を開成させる。これは、ＣＰＵ２４が開成制御回路１４６に信号を与え、ソレノイド１２６をオンすることによってなされる」（第７頁右下欄第２ないし５行）及び第１１図（第１５頁）の記載、
からみて、
「ゲームが始められ、パチンコ玉が、パチンコ遊技機８０に取替え可能な遊技盤８４に設けられた始動入賞孔に入賞することに基づいて回転ドラムの回転を開始させるパチンコ遊技機において、
　ＣＰＵによって制御される各種類別のパチンコ遊技機に特有のプログラムを格納したＲＯＭを設け、
　該ＲＯＭを設けた制御基板１０は、多種類のパチンコ遊技機で共通的に使用できる共通回路部を備える共通回路基板１２と、前記各種類別のパチンコ遊技機に特有の制御をする種類別回路部を備える種類別回路基板１４とから構成され、
　前記ＲＯＭが搭載されている種類別回路部は、可変入賞球装置９０の開閉板８８を開成させる開成制御回路１４６を含むパチンコ遊技機」を構成とする発明が、
それぞれ記載されているものと認められる。
〔この出願の発明と引用例に記載された発明との対比〕
　そこで、この出願の発明（前者）と引用例１に記載された発明（後者）とを対比するに、
後者の
「打込まれた」、「分離式」、「セーフ球として入賞すると」、「電動ヤクモノ３を動かす」、「記憶」、「異なるゲーム内容に適用できる」、「基本機能を基本プログラムに表して記憶したＲＯＭ１１」、「具体的な制御内容を表す」、「ＰＲＯＭ１２」、「ＩＣ、ＬＳＩ」及び「電動ヤクモノ３」
がそれぞれの機能に照らし、それぞれ
前者の
「打球された」、「パチンコ機本体に対して分離可能な」、「設けられた入賞口に飛入することに基づいて」、「遊技を行う」、「格納」、「遊技内容又は仕様が異なる」、「各々に共通使用可能な基本プログラムが格納されている共通ＲＯＭ」、「各々に固有の」、「非共通ＲＯＭ」、「集積回路」及び「固有な機構部」
に相当するものと認められるから、
両者は、
「打球されたパチンコ球が、パチンコ機本体に対して分離可能な遊技盤に設けられた入賞口に飛入することに基づいて遊技を行うパチンコ機において、
　ＣＰＵによって制御される複数のＲＯＭを設け、
　該複数のＲＯＭは、遊技内容又は仕様が異なる複数の前記パチンコ機の各々に共通使用可能な基本プログラムが格納されている共通ＲＯＭと、前記遊技内容又は仕様が異なる複数のパチンコ機の各々に固有のものが格納されている非共通ＲＯＭとから構成され、
　前記ＣＰＵ及び前記共通ＲＯＭは、集積回路化されており、
　前記非共通ＲＯＭは、固有な機構部の制御に関与するパチンコ機」である、
点において一致し、
（１）非共通ＲＯＭが格納する固有のものが、
前者は、プログラムである、
のに対し、
後者は、所定の定数である、
（２）ＣＰＵ及び前記共通ＲＯＭが、
前者は、一体に集積回路化されている、
のに対し、
後者は、その点が明らかではない、
（３）前者においては、非共通ＲＯＭが非共通回路に搭載され、該非共通回路に、固有な機構部を制御する機構制御回路が含まれる、
のに対し、
後者においては、かかる構成が明らかではない、
点において相違しているものと認められる。
〔相違点の検討〕
　しかし、前記相違点（１）についてみるに、
（ア）「プログラム」は複数の作業を順序に従って実行させるものであり、「定数」は１つの作業を実行させるものであるにしても、「プログラム」を変え、又、「定数」を変えることによって、遊技の内容が変わり、遊技の多様化に対処できるという点で、両者間に格別相違がないと認められること（引用例１第４頁左上欄第１８，１９行「定数のみを変えることによって遊技機のゲーム内容を変えることができる」参照）、
（イ）「プログラム」も「定数」も、マイクロコンピュータの技術分野において、従来周知の技術的事項にすぎないと認められること、
（ウ）引用例２に記載された発明の
「ゲームが始められ、パチンコ玉」、「パチンコ遊技機８０に取替え可能」、「始動入賞孔」、「入賞」、「回転ドラムの回転を開始させる」、「パチンコ遊技機」、「各種類別のパチンコ遊技機に特有の」、「各種類別のパチンコ遊技機に特有のプログラムを格納したＲＯＭ」、「多種類のパチンコ遊技機で共通的に使用できる」、「種類別回路部」及び「可変入賞球装置９０の開閉板８８を開成させる開成制御回路１４６」
がそれぞれの機能に照らし、それぞれ
前者の
「打球されたパチンコ球」、「パチンコ機本体に対して分離可能」、「入賞口」、「飛入」、「遊技を行う」、「パチンコ機」、「遊技内容又は仕様が異なる複数のパチンコ機の各々に固有の」、「非共通ＲＯＭ」、「遊技内容又は仕様が異なる複数の前記パチンコ機の各々に共通使用可能な」、「非共通回路」及び「固有な機構部を制御する機構制御回路」
に相当するものと認められるから、
引用例２に記載された発明には、
「打球されたパチンコ球が、パチンコ機本体に対して分離可能な遊技盤に設けられた入賞口に飛入することに基づいて遊技を行うパチンコ機において、
　ＣＰＵによって制御される遊技内容又は仕様が異なる複数のパチンコ機の各々に固有のプログラムを格納した非共通ＲＯＭを設け、
　該非共通ＲＯＭを設けた制御基板１０は、遊技内容又は仕様が異なる複数の前記パチンコ機の各々に共通使用可能な共通回路部を備える共通回路基板１２と、前記遊技内容又は仕様が異なる複数のパチンコ機の各々に固有の制御をする非共通回路を備える種類別回路基板１４とから構成され、
　前記非共通ＲＯＭが搭載されている非共通回路は、固有な機構部を制御する機構制御回路を含むパチンコ機」という構成、
すなわち、「非共通ＲＯＭ」に、「定数」ではなく、「遊技内容又は仕様が異なる複数のパチンコ機の各々に固有のプログラム」を格納するという構成、が備わっているものと認められること、
の３点を総合すると、
「定数」に代え、「プログラム」を採用することは、当業者が格別創意工夫を要することではないというべきである。
　しかも、前記相違点（１）の前者の効果が、後者及び引用例２に記載された発明並びに従来周知の技術的事項のそれぞれの効果の総和以上の格別なものとは認められない。
　次に、前記相違点（２）についてみるに、
集積回路化するに当たり、複数の電子部品を一体に集積回路化することは、そもそも従来周知の技術的事項にすぎず（必要なら、引用例２第２頁右下欄第１７，１８行「中央処理装置（ＣＰＵ）およびランダムアクセスメモリ（ＲＡＭ）を含む集積回路チップ２４」を参照）、又、複数の電子部品の内、何と何を一体に集積回路化するかは当業者が必要に応じて適宜選択し得る単なる設計事項にすぎず、したがって、「ＣＰＵ及び共通ＲＯＭを一体に集積回路化すること」は、当業者が格別創意工夫を要することではないというべきである。このことは、前記昭和６２年１２月２８日に出願された特願昭６２−３３４０１１号の明細書（原明細書）に、「本実施例は非共通回路９のみを集積回路化したがそれに限定されるものではなく、共通回路８のみ、または共通回路８と非共通回路９とをともに集積回路化しても良い」（特開平１−１７１５８５号公報第４頁右下欄第１２ないし１５行）と記載されていて、この出願の明細書の段落【００２３】の「少なくともＣＰＵ３０及び共通ＲＯＭ３２は一体に集積化されるように構成してもよい」という記載が原明細書になかったにもかかわらず、この出願の出願日が平成１１年７月９日ではなく、昭和６２年１２月２８日と認定されていることからも明らかである。
　そして、この出願の発明の「ＣＰＵ及び共通ＲＯＭは一体に集積回路化されているので、不正行為を施すことが困難になると共に、一体化されることにより交換性の向上を図ることができる」という効果は、複数の電子部品を一体に集積回路化することによって当然に生じる自明のものであって、格別のものとは認められない。
　最後に、前記相違点（３）についてみるに、
前記相違点（１）の検討のところで述べたように、
引用例２に記載された発明には、
「打球されたパチンコ球が、パチンコ機本体に対して分離可能な遊技盤に設けられた入賞口に飛入することに基づいて遊技を行うパチンコ機において、
　ＣＰＵによって制御される遊技内容又は仕様が異なる複数のパチンコ機の各々に固有のプログラムを格納した非共通ＲＯＭを設け、
　該非共通ＲＯＭを設けた制御基板１０は、遊技内容又は仕様が異なる複数の前記パチンコ機の各々に共通使用可能な共通回路部を備える共通回路基板１２と、前記遊技内容又は仕様が異なる複数のパチンコ機の各々に固有の制御をする非共通回路を備える種類別回路基板１４とから構成され、
　前記非共通ＲＯＭが搭載されている非共通回路は、固有な機構部を制御する機構制御回路を含むパチンコ機」という構成が備わっているものと認められる。
　そうすると、後者及び引用例２に記載された発明が、何れも、「共通なもの」及び「非共通なもの」をそれぞれ備えた同種のパチンコ機である、と認められることに着目して、後者に引用例２に記載された発明を適用し、
そして、引用例２に記載された発明に、前記相違点（３）の前者の構成である、「非共通ＲＯＭが非共通回路に搭載され、該非共通回路に、固有な機構部を制御する機構制御回路が含まれる」という構成があることに着目し、又、引用例２に記載された発明において、「非共通ＲＯＭが搭載されている非共通回路」が「固有な機構部を制御する機構制御回路」の制御に関与していることは自明であることに着目して、後者の「非共通ＲＯＭは、固有な機構部の制御に関与する」という構成に代え、引用例２に記載された発明の「非共通ＲＯＭが搭載されている非共通回路は、固有な機構部を制御する機構制御回路を含む」という構成を採用することは、
当業者が格別創意工夫を要することではないというべきである。
　しかも、前記相違点（３）の前者の効果が、後者及び引用例２に記載された発明のそれぞれの効果の総和以上の格別なものとは認められない。
〔まとめ〕
　以上のとおり、この出願の発明は、引用例１及び２に記載された各発明並びに従来周知の技術的事項に基づいて当業者が容易に発明をすることができたものであるから、特許法第２９条第２項の規定により特許を受けることができないものである。
　よって、結論のとおり審決する。